【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
少なくとも２つの異なるシンボルを表示する光学表示手段が設けられた回転スイッチを具備した
ことを特徴とする操作部。
【請求項２】
光学表示手段は、能動光源と、この能動光源の上に載置され、シンボルの形に形成された貫通口を有するマスクとを備えた
ことを特徴とする請求項１記載の操作部。
【請求項３】
能動光源は、ＬＥＤである
ことを特徴とする請求項２記載の操作部。
【請求項４】
光学表示手段は、仕切板開口部を有する仕切板が能動光源とマスクとの間に設けられた
ことを特徴とする請求項２または３記載の操作部。
【請求項５】
光学表示手段は、マスクの能動光源とは反対側に少なくとも１つのディフューザディスクが設けられた
ことを特徴とする請求項２ないし４のいずれか記載の操作部。
【請求項６】
光学表示手段は、先端部が透明カバーにより覆われた
ことを特徴とする請求項２ないし５のいずれか記載の操作部。
【請求項７】
透明カバーは、集光レンズにて形成されている
ことを特徴とする請求項６記載の操作部。
【請求項８】
光学表示手段は、回転スイッチ内に可動に装着され、光学表示手段を移動させることによって作動可能となる電鍵またはスイッチに接続された
ことを特徴とする請求項１ないし７のいずれか記載の操作部。
【請求項９】
回転スイッチは、軸を有し、この軸を介して光学表示手段用の電力供給および動作信号の少なくとも一方が供給される
ことを特徴とする請求項１ないし８のいずれか記載の操作部。
【請求項１０】
軸は、中空に形成され、その内側に電力供給用または動作信号用の回線が配設された
ことを特徴とする請求項９記載の操作部。
【請求項１１】
電位差計に用いられた
ことを特徴とする請求項１ないし１０のいずれか記載の操作部。
【請求項１２】
請求項１ないし１０いずれか記載の操作部を備えた電子制御装置であって、
操作およびプログラム化の少なくとも一方を行うために操作部が用いられた
ことを特徴とする電子制御装置。
【手続補正２】
【補正対象書類名】明細書
【補正対象項目名】全文
【補正方法】変更
【補正の内容】
【発明の詳細な説明】
【発明の名称】操作部および電子制御装置
【技術分野】
【０００１】
本発明は、つまみとしての回転スイッチを有する操作部およびこの操作部を備えた電子制御装置に関する。
【背景技術】
【０００２】
このような操作部はよく知られている。例えば非常に異なる切換位置を作動するために所定の休止位置を有する回転スイッチ、触覚により知覚可能な休止位置を有する電位差計またはこのような休止位置を有さない電位差計を備えた操作部がある。
【発明の開示】
【発明が解決しようとする課題】
【０００３】
この操作部は、例えば音量調整器、変圧器用制御部材などとして多岐に亘り使用される。その場合に、この操作部が、切換位置を調整または移動するため、若しくは電流ないし電圧を制御するために、「一方向」にのみ使用されることは特徴的である。したがって、特に、操作部へ情報がフィードバックするような他の使用は存在しない。ここでは本発明を用いて対策が講じられるであろう。
【課題を解決するための手段】
【０００４】
本発明によれば、この課題を解決するために、請求項１に記載された操作部は、少なくとも２つの異なるシンボルを表示するための光学表示手段が設けられた回転スイッチを具備したものである。
【０００５】
この点において操作部は、例えば回転スイッチの切換位置に関係する光路またはこの切換位置が誘因となる事象に関係する光路で情報を伝送することを可能にする。そのために光学表示手段は、少なくとも２つの異なるシンボルを含むので、２つの異なる事象間を光学的に変えることができる。異なるシンボルを多く含めば含むほど表示を細分化することができる。さらに、光学表示手段にて表示するシンボルを異なる色にすると、さらに広範に細分化することができる。
【０００６】
シンボルは、例えば文字、数字、ピクトグラムまたは特定の光学表示情報の伝送に適するその他の表示方式とすることができる。
【０００７】
回転スイッチにおける光学表示手段の配置は、原理的には任意である。しかしながら光学表示手段を回転スイッチの正面に配置することが特に効率的であると判明した。
【０００８】
好ましい実施形態では、光学表示手段は能動光源およびこの能動光源上に載置されたマスクを含み、このマスクはシンボルの形に形成された貫通口を有する。その場合に能動光源は、好ましくは発光ダイオード（ＬＥＤ）である。このＬＥＤは、半導体技術も近代有機ＬＥＤもベースにすることができる。特にシンボルの形に作られた貫通口を有するマスクの下側には、各貫通口領域内に複数の異なる色のＬＥＤを配置することができるので、同じシンボルを異なる色で表示して、情報伝達をさらに細分化できるようになる。
【０００９】
この場合に光学表示手段は、能動光源から放出された光がマスクを通って進み、シンボルの形の光点が生成され、この光点を操作部の使用者が知覚できるように機能する。
【００１０】
この場合に個々の光源の光を、マスク内の貫通口により覆われている領域に確実に限るために、能動光源とマスクとの間に仕切板開口部を有する仕切板を配置することができる。ここではこの配置は、まず能動光源、その上にこの能動光源に合わせて仕切板、そしてその上にシンボルを表す貫通口を有するマスクを、能動光源および仕切板開口部に合わせて設けるようにする。
【００１１】
マスク内のシンボルを表す貫通口を一様に照射した跡を生成するために、好ましくはマスクの、光源とは反対側にディフューザディスクを配置することができる。そのようなディフューザディスクは、通常不透明な材料により構成され、最も単純な場合には、不透明なパーチメント紙などによって形成することができる。
【００１２】
最終的には、能動光源を備えた光学表示手段の先端部が、好ましくは集光レンズの形を有する透明カバーで覆われている場合が有利である。この透明カバーは、まず第一にその下に置かれた部材を保護する。透明カバーが集光レンズの形に形成されている場合には、さらに小型の光学表示手段でシンボルを良好に認識出来るように表すことを可能にする拡大効果が達成される。
【００１３】
本発明のその他の好ましい形態によれば、光学表示手段を回転スイッチ内に可動に装着して、電鍵またはスイッチに接続させ、光学表示手段を移動させることによってこの電鍵またはスイッチが作動することが有利である。この方式の形態は、操作部がさらなる機能性を有するようにし、その場合に回転スイッチを用いた切り換えの可能性以外に、電鍵またはスイッチによる別の切り換えの可能性が、しかも比較的小さい空間において生まれる。
【００１４】
好ましくは電力供給および光学表示手段用の動作信号は、回転スイッチの軸を介して供給される。このことも構造の小型化につながり、追加で回線を保護することにもなる。電力供給および動作信号は、その場合に空洞内に形成された軸の内側に配設された電力供給用または動作信号用の回線内を流れる。基本的には電力供給および動作信号は、軸の内側に敷設された柔軟な回線を介して操作部の接続部まで流れる。この柔軟な回線は、ある程度のねじれは損傷無く受け入れることができる。しかしながら、特に回転スイッチが無制限に３６０°の何倍も回転し得る場合には、すべり接触を介した搬送などの別の方式で実行することが提案される。
【００１５】
好ましい形態では、操作部は、電位差計、好ましくはプッシュプル電位差計として形成される。しかしながらこれは考えられる唯一の形ではない。
【００１６】
本発明のその他の観点は、最終的には先に記述された操作部を電子制御装置の操作やプログラム化のために使用することにある。その場合に回転スイッチの位置、並びに追加で設けられた電鍵やスイッチの切換位置は、この電子制御装置によって利用され、操作の際のメニュー項目が呼び出されるか、または作動される。
【００１７】
したがって、例えばある平面内の、ツリー構造状に作られた電子制御装置のメニュー内で、個々のメニュー項目が回転スイッチを回すことによって作動し、その場合にこの回転スイッチの位置が、これに接続している電圧またはその電流を介して問い合わせられることが考えられる。回転スイッチ内の光学表示手段を移動させて電鍵やスイッチを作動することによって、メニュー項目が呼び出されるか別の従属メニューが作動する。そのような従属メニューで、再びこの平面上にある分岐が回転スイッチを回転することによって作動する。
【００１８】
この使用において、本発明の操作部は、特に洗練された小型の操作ユニットを形成し、これは光学表示手段を介してフィードバックを行い、それによって、特定のメニュー項目の、丁度行われた選択に関する情報が提供される。
【発明を実施するための最良の形態】
【００１９】
本発明の一実施の形態の構成について図１を参照しながら詳細に説明する。
【００２０】
この図は、純粋に略式であると理解され、とりわけ縮尺通りではない。
【００２１】
図１には、本発明に係る電気スイッチまたは操作部としての所謂プッシュプル電位差計１が示される。これは、電気接続部３を有する切換ユニット２以外につまみとしての回転スイッチ４をも含む。この回転スイッチ４は、切換ユニット２内の切換装置と接続している軸５と強固に接続されている。軸５は、後に述べる理由から空洞に形成されている。
【００２２】
さらに回転スイッチ４は、外周面に切換位置シンボル６が装着された襟部を含む。回転スイッチ４には収容空間７が形成されている。収容空間７内には光学表示手段８が入れられている。この光学表示手段８は、支持リング９、上面に能動光源としてのＬＥＤ11が配されるＬＥＤ担持体10、仕切板開口部13を有する仕切板12、貫通口としてのシンボル開口部15を有するマスク14、ディフューザディスク16、およびこれらの部品を覆うプラスチック製透明集光レンズの形の透明カバー17を有している。組み立てられた状態では、全光学表示手段８は回転スイッチ４内の収容空間７内に収容され、透明カバー17はその正面が回転スイッチ４とほぼ同一平面に閉じている。
【００２３】
全光学表示手段８は、収容空間７内で軸５に対して軸方向に可動であり、電鍵に接続される。このようにして透明カバー17への圧力によって電鍵が作動し、対応する電気信号が生成される。空洞が形成された軸５内には、電力供給用またはＬＥＤ11の作動のための動作信号用の回線が通り、このようにしてシンボル開口部15のそれぞれを照らし出すことができる。
【００２４】
ＬＥＤ担持体10、仕切板12およびマスク14は、ＬＥＤ11、仕切板開口部13およびシンボル開口部15がそれぞれ上下に同一直線上に位置するように配置されている。このようにして、ＬＥＤ11の１つが発光する場合に、付属の仕切板開口部13を通るこのＬＥＤ11の光は、場合によって生じる別のＬＥＤ11の散乱光から保護されて付属のシンボル開口部15を通って出てきて、相応に１つのシンボルを照らし出すことが保証される。ＬＥＤ11は、単独のＬＥＤか、それぞれ多色のＬＥＤを有するＬＥＤパケットであり、個々のシンボルをさらに黄色、赤色、緑色および青色などの異なる色で照らし出すことができる。
【００２５】
支持リング９は、光学表示手段８のその他のコンポーネントを支持するためだけに用いられ、ディフューザディスク16はシンボル開口部15から出てくる光の均等化に用いられる。透明カバー17は、一方では装置の保護に、他方ではシンボルの表示の拡大に用いられる。
【００２６】
プッシュプル電位差計１は、回転つまみとしての回転スイッチ４を引くことによって軸５を上下させ、それによって切換ユニット２の様々な切換面を作動させることができることを特徴とする。プッシュプル電位差計１の、押し下げられた基本位置では第１接続部を有する第１切換面が操作され、押し上げられた位置では第２接続部を有する第２切換面が操作される。よく知られているこの形態の方式は、この電位差計の機能の多様性を高めるものである。
【００２７】
回転スイッチ４の外周面上に配置された切換位置シンボル６は、操作を簡素化するために使用されるが、どうしても必要なものではない。
【００２８】
本発明の操作部としてのプッシュプル電位差計１の好ましい適用は、電子制御装置の操作、特に欧州特許出願公開第１５９６３５９号などから周知の、ギターの自動調律装置の制御装置の操作にある。これに関して本発明のプッシュプル電位差計１は、慣例の音量調整器または楽音調整器の代わりに、例えば従来のエレキギター内に組み込むことができる。その他の説明に関しては、プッシュプル電位差計１が慣例の音量調整器の代わりに組み込まれていると解される。基本位置、則ち軸５が押し下げられた位置では、プッシュプル電位差計１は慣例の音量調整器の機能を果たす。回転スイッチ４を引いて軸５やこの軸５に配置された切換部材を押し上げられた位置に移動させることによって、ギター弦の自動調律用の制御装置が駆動し、この位置で光学表示手段８に、例えば全てのＬＥＤ11が１度点滅するか、または一貫した順序で照らし出されるようにして確認が出力される。
【００２９】
ここで第１面内の１つのメニューを選択するために、プッシュプル電位差計１の回転スイッチ４を右方向または左方向に回して個々のメニュー項目を作動させることができる。その場合に、回転スイッチ４が、メニュー位置に達したことを触覚によってのみ知覚するのに役立つ休止位置を有すると有利である。それから電位差計１の出力信号が測定され、この信号を特定のメニュー項目に割り当てるために電流の強さや電圧に関する値が求められる。それに応じて、光学表示手段８を介してフィードバックがかかり、割り当てられたＬＥＤ11を用いて対応するシンボル開口部15を照らし出すことによって、特定のメニュー項目に割り当てられたシンボルを表示する。所望のメニュー項目に達した場合に電鍵を操作することによって、則ち光学表示手段８を押し下げることによってこのメニュー項目が選択される。このメニュー項目は、これで再び様々なメニュー項目を作動させる別の従属メニューとなり得る。この従属メニュー項目は、上述のように同じ方法で回転スイッチ４を回すことによって作動させることができる。ここでも再び個々のメニュー項目に対応するシンボルが映し出され、その場合にこれは、第１メニュー面に出力されるのと同じ記号である必要はない。合目的な方法では、これはそれどころかオペレータのために電子制御装置の操作を簡素化するために別の記号である。
【００３０】
このようにして、オペレータは様々なメニュー面を通して個々の命令へ方向付けて、電鍵を操作することによってこの命令に応えることができる。
【００３１】
各メニュー面内には１つのメニュー項目が設けられ、それを呼び出すことによってシステムが優先メニューへ飛び移る。
【００３２】
そのような電子制御装置を用いて、例えばギター弦を調律できる特定の周波数を設定することができる。このメニュー実行方式によって、異なる弦の特定の調和音や協和音をプログラム化して以降の調律工程のために呼び出しできるように格納するためにシステムのプログラム化を行うことさえ可能である。
【００３３】
なお、本発明はこのような実施例の説明に限定されるものではなく、特に本発明の操作部は、先の詳述とは違った目的にも使用することができる。この点で専門家には問題なく認識される多様な可能性が考えられる。特にこの操作部を用いて、電子制御装置をプログラム化してギターの自動調律のために使用できるだけではなく、それぞれ別の方式の電子制御装置または小型計算機をプログラム化することもできる。本発明の操作部の利点は、信号の出力、則ち情報の問い合わせに適合するだけではなく、それ自体が利用者にフィードバックを提供する情報を再び表すことができることにある。
【図面の簡単な説明】
【００３４】
【図１】本発明の操作部の一実施の形態を示す分解組立図である。
【符号の説明】
【００３５】
１    操作部としてのプッシュプル電位差計
４    回転スイッチ
５    軸
８    光学表示手段
11 能動光源としてのＬＥＤ
12    仕切板
13    仕切板開口部
14    マスク
15    貫通口としてのシンボル開口部
16    ディフューザディスク
17    透明カバー